(57)【要約】【課題】人の手によらずに自動的に窓を開けることができる。【解決手段】窓枠１と室内側の窓本体の閉端２ａとの間に挟まれるように配置される、室内側の窓本体２の開き方向に移動可能な巻取機７と、一端が巻取機７に固定されかつ他端が室内側の窓本体２側に配置された網戸４に固定される紐状部材６と、巻取機７に備えられた紐状部材６を引き込むためのモータなどの駆動手段とからなり、巻取機７が紐状部材６を引き込むことにより、巻取機７が、室内側の窓本体２とともに網戸４の紐状部材６との固定部分へ移動し、室内側の窓本体２を自動的に開ける。【選択図】　図４
2004076483.tif 000002
【特許請求の範囲】
【請求項１】
窓枠と窓本体の閉端との間に挟まれるように配置される、窓本体の開き方向に移動可能な巻取機と、一端が巻取機に固定されかつ他端が移動側の窓本体側に配置された網戸に固定される紐状部材と、巻取機に備えられた紐状部材を引き込むためのモータなどの駆動手段とからなり、巻取機が紐状部材を引き込むことにより、巻取機が、窓本体とともに網戸の紐状部材との固定部分へ移動し、窓本体を自動的に開けることを特徴とする自動窓開け装置。
【請求項２】
さらに紐状部材に掛止具を備え、これにより網戸と紐状部材とが着脱自在に固定されることを特徴とする請求項１記載の自動窓開け装置。
【請求項３】
さらに網戸に掛止具を備え、これにより網戸と紐状部材とが着脱自在に固定されることを特徴とする請求項１または２記載の自動窓開け装置。
【請求項４】
さらに巻取機にガイドを備え、これにより巻取機が室内方向または室外方向にずれるのを防止することを特徴とする請求項１、２または３記載の自動窓開け装置。
【請求項５】
請求項１、２または３記載の自動窓開け装置において、窓枠と窓本体の閉端との間に挟まれるように配置される、窓本体の開き方向に移動可能な巻取機を、窓本体に組みこんだことを特徴とする自動窓開け装置付き窓。
【請求項６】
網戸に組み込まれる巻取機と、一端が巻取機に固定されかつ他端が網戸の開端を経由し移動側の窓本体に固定される紐状部材と、巻取機に備えられた紐状部材を引き込むためのモータなどの駆動手段とからなり、巻取機が紐状部材を引き込むことにより、窓本体の紐状部材との固定部分が、網戸の開端方向へ移動し、窓本体を自動的に開けることを特徴とする自動窓開け装置付き網戸。
【発明の詳細な説明】
【０００１】
【発明の属する技術分野】
本発明は、自動窓開け装置に関する。
【０００２】
【従来の技術】
水平スライド式の窓に設置される窓開閉装置として、例えば特開２００２−５４３５０に記載されているものが知られている。
【０００３】
このものでは、窓枠または窓本体のうちの一方に紐状部材を止着し、窓枠または窓本体のうちの他方に巻取機を止着し、紐状部材を巻取機が巻き取ることにより、窓の開閉動作を行うようになっている。
【０００４】
【発明が解決しようとする課題】
上記の窓開閉装置では、基本的に室内側の窓本体の開閉動作しかできない。もし、室外側の窓本体を開閉する場合は、巻取機を室外に設置する必要がある。しかし、一般家庭では網戸があるため、室外への巻取機の設置が困難である。たとえ設置ができたとしても、室外からタイマー等の設定を行わなければならない。また、巻取機が雨にあたり故障の原因となる。
【０００５】
また、上記の窓開閉装置では、巻取機を、窓枠または窓本体に粘着テープ等で止着するため、既存の窓枠または窓本体を傷つけ、また取り外しが困難である。例えば、オフタイマが設定されたエアコンの停止後に、自動的に窓を開けるといった用途においては、装置が不要な夏以外の季節は、装置を取り外しておきたいという要望がある。
【０００６】
本発明は、網戸を利用し、巻取機の設置位置を工夫することにより、室内側の窓本体および室外側の窓本体、どちらの窓本体も選択自在に開けることができる自動窓開け装置を提供することを目的する。
【０００７】
また、本発明は、網戸を利用し、巻取機の設置位置を工夫することにより、取り付けおよび取り外しが容易にできる自動窓開け装置を提供することを目的とする。
【０００８】
【課題を解決するための手段】
以上の課題を解決するために、請求項１の発明は、窓枠と窓本体の閉端との間に挟まれるように配置される、窓本体の開き方向に移動可能な巻取機と、一端が巻取機に固定されかつ他端が移動側の窓本体側に配置された網戸に固定される紐状部材と、巻取機に備えられた紐状部材を引き込むためのモータなどの駆動手段とからなり、巻取機が紐状部材を引き込むことにより、巻取機が、窓本体とともに網戸の紐状部材との固定部分へ移動し、窓本体を自動的に開けることを特徴とする自動窓開け装置である。
【０００９】
請求項２の発明は、請求項１の発明において、紐状部材に掛止具を備え、これにより網戸と紐状部材とが着脱自在に固定されることを特徴とする自動窓開け装置である。
【００１０】
請求項３の発明は、請求項１または２の発明において、網戸に掛止具を備え、これにより網戸と紐状部材とが着脱自在に固定されることを特徴とする自動窓開け装置である。
【００１１】
請求項４の発明は、請求項１、２または３の発明において、巻取機にガイドを備え、これにより巻取機が室内方向または室外方向にずれるのを防止することを特徴とする自動窓開け装置である。
【００１２】
請求項５の発明は、請求項１、２または３の発明において、窓枠と窓本体の閉端との間に挟まれるように配置される、窓本体の開き方向に移動可能な巻取機を、窓本体に組みこんだことを特徴とする自動窓開け装置付き窓である。
【００１３】
請求項６の発明は、網戸に組み込まれる巻取機と、一端が巻取機に固定されかつ他端が網戸の開端を経由し移動側の窓本体に固定される紐状部材と、巻取機に備えられた紐状部材を引き込むためのモータなどの駆動手段とからなり、巻取機が紐状部材を引き込むことにより、窓本体の紐状部材との固定部分が、網戸の開端方向へ移動し、窓本体を自動的に開けることを特徴とする自動窓開け装置付き網戸である。
【００１４】
【発明の実施の形態】
図１は、自動窓開け装置を示し、巻取機７の内部で紐状部材６の一端が固定され、紐状部材６の他端には掛止具５が取り付けられている。また、巻取機７の外部には、ガイド１４、ＯＮ―ＯＦＦスイッチ８、巻取長設定スイッチ９、時間設定スイッチ１０が備えられている。
【００１５】
図２は、巻取機７を配置した窓の正面図を示し、窓枠１と室内側の窓本体の閉端２ａとの間に挟まれるように、室内側の窓本体２の開き方向に移動可能な巻取機７を配置する。
【００１６】
巻取機７には、巻取機７が室内側方向または室外側方向にずれることを防止するために、室内側の窓本体２を挟み込むことができるようなガイド１４が備えられている。
【００１７】
図３は、説明のために、室内側の窓本体２と室外側の窓本体３を取り外した図を示しており、紐状部材６に取り付けられた掛止具５により、紐状部材６と網戸の開端４ａとを着脱自在に固定する。
【００１８】
図４は、図２の横断平面図を示し、窓枠１の内部には、室内側の窓本体２、室外側の窓本体３および網戸４が配置されている。ここで、網戸４は、室内側の窓本体２を開けるために、室内側の窓本体２側に配置されている。
【００１９】
上記のように配置され、巻取機７が紐状部材６を内部に引き込んでいくことにより、巻取機７が、室内側の窓本体２とともに、網戸４の紐状部材６との固定部分へ移動し、室内側の窓本体２が開く。
【００２０】
図５は、巻取機７が移動し、室内側の窓本体２が開いた時の、窓の正面図を示している。
【００２１】
図６は、図５の横断平面図を示している。
【００２２】
図７は、自動窓開け装置の正面図を示しており、巻取機７の内部で紐状部材６の一端が固定され、紐状部材６の他端には掛止具５が取り付けられている。また、巻取機７の外部には、ガイド１４、ＯＮ―ＯＦＦスイッチ８、巻取長設定スイッチ９、時間設定スイッチ１０が備えられている。
【００２３】
図８は、自動窓開け装置の横断平面図を示しており、巻取機７の内部には、紐状部材６を巻き取るための巻取体１１、巻取体１１を駆動するモータ１８、モータ１８を制御する制御部１２、モータ１８および制御部１２に電力を供給する電源１３が備えられている。また、紐状部材６は、巻取体１１と固定されている。
【００２４】
ここで巻取機７の制御方法について説明する。まず、ＯＮ―ＯＦＦスイッチ８がＯＮ側へ切り替えられた後、時間設定スイッチ１０に設定された時間が経過すると、制御部１２が巻取体１１を駆動するモータ１８を起動させる。次いで、巻取長設定スイッチ９に設定された長さ分、紐状部材６を巻き取ったことを、制御部１２が巻取体１１の回転数により検知し、制御部１２が巻取体１１を駆動するモータ１８を停止させる。
【００２５】
巻取長の検出は、巻取体１１の回転数によらずとも、紐状部材６に磁気を帯びさせ、磁気センサにより、巻取長を検出する方法や、光学センサにより巻取長を検出する方法などを使ってもよい。
【００２６】
また、巻取長により巻取体１１を駆動するモータ１８を停止させなくても、室内側の窓本体２が完全に開くと巻取体１１を駆動するモータ１８のトルクが大きくなるので、このトルクを検知し、巻取体１１を駆動するモータ１８を停止させてもよい。
【００２７】
上記実施形態では、巻取機７に紐状部材６を引き込む方法として、巻取機７の内部に備えられた巻取体１１が紐状部材６を巻き取る方法を示したが、図９のように、巻取機７の内部に備えられた上部回転体１７と下部回転体１９の間に紐状部材６を挟み込み、上部回転体１７が反時計回りに、下部回転体１９が時計回りに回転することにより、紐状部材６を引き込むようにしてもよい。
【００２８】
また、上記実施形態では、駆動手段をモータ１８としたが、電力を必要としないゼンマイ、ゴム等のようなものとしてもよい。
【００２９】
上記実施形態では、室内側の窓本体２の開け方について示したが、図１０のように、巻取機７を、窓枠１と室外側の窓本体の閉端３ａとの間に挟まれるように配置することにより、室外側の窓本体３を開けることもできる。
【００３０】
図１１は、図１０の横断側面図を示している。図１１を用い、さらに詳しく、室外側の窓本体３を開ける方法を説明する。室外側の窓本体３側に配置された網戸の開端４ａに掛止具５を引っ掛ける。そして、巻取機７が紐状部材６を内部に引き込んでいくことにより、巻取機７が、室外側の窓本体３とともに、網戸４の紐状部材６との固定部分へ移動し、室外側の窓本体３が開く。
【００３１】
上記実施形態では、紐状部材６に掛止具５を取り付け、掛止具５と網戸４とを着脱自在としているが、図１２のように、網戸４に掛止具１５を取り付け、掛止具１５と紐状部材６とを着脱自在にすることも可能である。さらに、図１１では、紐部材６を掛止具１５に引っ掛けやすいように、紐部材６にリング１６を備えている。
【００３２】
図１３は、図１２の横断平面図を示している。
【００３３】
また、上記実施形態では、巻取機７を、窓枠１と室内側の窓本体の閉端２ａまたは室外側の窓本体の閉端３ａとの間に挟まれるように配置しているが、図１４のように、巻取機７を室内側の窓本体２または室外側の窓本体３に組み込み、巻取機７と室内側の窓本体２または室外側の窓本体３とを一体化させることも可能である。
【００３４】
図１５は、巻取機７を組み込んだ室外側の窓本体３の拡大図である。
【００３５】
また、上記実施形態では、巻取機７と室内側の窓本体２または室外側の窓本体３とを一体化させているが、図１６のように、巻取機７と網戸４とを一体化させることも可能である。
【００３６】
図１７は、巻取機７と網戸４とを一体化させた時の、室内側の窓本体２を開くための構成を示す。紐状部材６の一端は、巻取機７の内部に固定され、紐状部材６の他端は、室内側の窓本体２側に配置された網戸の開端４ａを経由し、室内側の窓本体の閉端２ａに、掛止具１７を使い固定する。このように構成し、網戸４に組み込まれた巻取機７が紐状部材６を引き込むことにより、室内側の窓本体の閉端２ａが網戸の開端４ａ方向へ移動し、室内側の窓本体２を開けることができる。
【００３７】
図１８は、巻取機７と網戸４とを一体化させた時の、室外側の窓本体３を開くための構成を示す。紐状部材６の一端は、巻取機７の内部に固定され、紐状部材６の他端は、室外側の窓本体３側に配置された網戸の開端４ａを経由し、室外側の窓本体の閉端３ａに、掛止具１７を使い固定する。このように構成し、網戸４に組み込まれた巻取機７が紐状部材６を引き込むことにより、室外側の窓本体の閉端３ａが網戸の開端４ａ方向へ移動し、室外側の窓本体３を開けることができる。
【００３８】
上記実施形態では、紐状部材６と網戸４または室内側の窓本体２または室外側の窓本体３との固定に、紐状部材６に取り付けられた掛止具５を用いているが、網戸４または室内側の窓本体２または室外側の窓本体３に紐状部材６を括り付けるといった手段により、掛止具５を用いなくても、紐状部材６と網戸４または室内側の窓本体２または室外側の窓本体３とを着脱自在に固定することができる。
【００３９】
【発明の効果】
従来技術では、室外側の窓本体を自動的に開けることが困難であったが、請求項１の発明によれば、巻取機を、窓枠と窓本体の閉端との間に挟まれるように配置し、巻取機に引き込まれる紐状部材の一端を網戸に固定するようにしたので、室外側の窓本体および室内側の窓本体、どちらの窓本体も選択自在に開けることができる。
【００４０】
また、従来技術では、巻取機を、窓枠または窓本体に粘着テープ等で止着する必要があり、既存の窓枠または窓本体を傷つけ、また取り外しが困難であったが、請求項１の発明によれば、巻取機を、窓枠と窓本体の閉じ端との間に挟まれるように配置し、巻取機に引き込まれる紐状部材の一端を網戸に固定するようにしたので、室外側の窓本体および室内側の窓本体、どちらの窓本体にも容易に取り付けおよび取り外しができる。
【００４１】
請求項２の発明によれば、紐状部材に掛止具を取り付けるようにしたので、掛止具を網戸の開端に引っ掛けることができるようになり、既存の網戸でも、紐状部材と網戸との固定が容易にできる。
【００４２】
請求項３の発明によれば、網戸に掛止具を取り付けるようにしたので、紐状部材と網戸との固定が一層容易にできる。
【００４３】
請求項４の発明によれば、巻取機と窓本体がともに移動する時に、巻取機が室外方向または室内方向にずれることを防止することができる。
【００４４】
請求項５の発明によれば、巻取機設置のための窓枠と窓本体の閉端との間の隙間が不要になるので、例えば、オフタイマが設定されたエアコンの停止後に、自動的に窓を開ける用途に対し、エアコン作動中の室内の密閉度を向上できる。
【００４５】
窓本体に巻取機を組み込む場合には、巻取機が２台必要であったが、請求項６の発明によれば、巻取機を網戸に組み込むことにより、巻取機を１台にすることができるので、製造コストを低減することができる。
【図面の簡単な説明】
【図１】自動窓開け装置の斜視図である。
【図２】室内側の窓本体に巻取機を設置した窓の正面図である。
【図３】室内側の窓本体および室外側の窓本体を取り除いた窓の正面図である。
【図４】図２の横断平面図である。
【図５】巻取機が移動し、室内側の窓本体が開いた状態を示す窓の正面図である。
【図６】図５の横断平面図である。
【図７】自動窓開け装置の正面図である。
【図８】自動窓開け装置の横断平面図である。
【図９】巻取機に紐部材を引き込む他の方法を示す図である。
【図１０】室外側の窓本体に巻取機を設置した窓の正面図である。
【図１１】図１０の横断平面図である。
【図１２】網戸に掛止具が取り付けられた、室内側の窓本体および室外側の窓本体を取り除いた窓の正面図である。
【図１３】網戸に掛止具が取り付けられた窓の横断平面図である。
【図１４】窓本体に巻取機が組み込まれた窓の正面図である。
【図１５】巻取機が組み込まれた室外側の窓本体の拡大図である。
【図１６】網戸に巻取機が組み込まれた時の、室内側の窓本体および室外側の窓本体を取り除いた窓の正面図である。
【図１７】網戸に巻取機が組み込まれた時の、室内側の窓本体を開くための構成を示す窓の横断平面図である。
【図１８】網戸に巻取機が組み込まれた時の、室外側の窓本体を開くための構成を示す窓の横断平面図である。
【符号の説明】
１…窓枠
２…室内側の窓本体
２ａ…室内側の窓本体の閉端
３…室外側の窓本体
３ａ…室外側の窓本体の閉端
４…網戸
４ａ…網戸の開端
５…紐状部材に取り付けられた掛止具
６…紐状部材
７…巻取機
８…ＯＮ−ＯＦＦスイッチ
９…巻取長設定スイッチ
１０…時間設定スイッチ
１１…巻取体
１２…制御部
１３…電源
１４…ガイド
１５…網戸に取り付けられた掛止具
１６…紐状部材に備えられたリング
１７…上部回転体
１８…モータ
１９…下部回転体
【図１】
2004076483.tif 000003
【図２】
2004076483.tif 000004
【図３】
2004076483.tif 000005
【図４】
2004076483.tif 000006
【図５】
2004076483.tif 000007
【図６】
2004076483.tif 000008
【図７】
2004076483.tif 000009
【図８】
2004076483.tif 000010
【図９】
2004076483.tif 000011
【図１０】
2004076483.tif 000012
【図１１】
2004076483.tif 000013
【図１２】
2004076483.tif 000014
【図１３】
2004076483.tif 000015
【図１４】
2004076483.tif 000016
【図１５】
2004076483.tif 000017
【図１６】
2004076483.tif 000018
【図１７】
2004076483.tif 000019
【図１８】
2004076483.tif 000020